(57)【要約】【課題】ディスク装置における光ピックアップのレンズを短時間でしかも確実にクリーニングし得るレンズクリーナを提供する。【解決手段】記録面２１側の中心部における環状エリア３１にＴＯＣ情報が記録されたディスク本体２と、記録面２１側に配設されたクリーニング部３とを備えて光ピックアップのレンズをクリーニング可能に構成され、クリーニング部３は、環状エリア３１におけるＴＯＣ情報の記録エリア３１ａを除くエリアのうちの５０％以上に相当するクリーニングエリア３１ｂを覆うように配設されている。【選択図】図１
2006338803.tif 000002
【特許請求の範囲】
【請求項１】
一面側の中心部における環状エリアにＴＯＣ情報が記録されたディスク本体と、前記一面側に配設されたクリーニング部とを備えて光ピックアップのレンズをクリーニング可能に構成され、
前記クリーニング部は、前記環状エリアにおける前記ＴＯＣ情報の記録エリアを除くエリアのうちの５０％以上に相当する所定エリアを覆うようにして配設されているレンズクリーナ。
【請求項２】
前記所定エリアは、連続した弧状に規定され、
前記クリーニング部は、単一部材で弧状に構成されている請求項１記載のレンズクリーナ。
【請求項３】
前記クリーニング部は、前記ディスク本体の回転方向の上流側に位置する端部における前記一面からの高さが先端に向かうに従って徐々に低くなるように構成されている請求項１または２記載のレンズクリーナ。
【請求項４】
前記一面側における前記環状エリアを除くエリアには、文字、図形および記号の１種以上が表記されている請求項１から３のいずれかに記載のレンズクリーナ。
【請求項５】
前記ディスク本体の他面側には、前記記録エリアの位置を特定可能な文字、図形および記号の１種以上が表記されている請求項１から４のいずれかに記載のレンズクリーナ。
【発明の詳細な説明】
【技術分野】
【０００１】
本発明は、光ピックアップのレンズをクリーニングするためのレンズクリーナに関するものである。
【背景技術】
【０００２】
この種のレンズクリーナとして、特開平８−２１２５７６号公報に開示された清掃部材が知られている。この清掃部材は、情報記録媒体（ＬＤ）と略同一形状の盤体を備えて構成され、この盤体におけるリードイントラックおよびプレイトラックには、４本の第１ブラシ体および４本の第２ブラシ体（以下、第１ブラシ体および第２ブラシ体を区別しないときには「ブラシ体」ともいう）がそれぞれ植設されている。この場合、各ブラシ体は、ナイロン繊維製のブラシ毛を束ねることによって約１ｍｍ程度の太さに形成されている。この清掃部材を用いてディスク装置における光学ヘッドユニットのレンズをクリーニング（清掃）するときには、清掃部材をディスク装置にセットして、ディスク装置を起動する。この際に、清掃部材が回転して各ブラシ体の先端部が光学ヘッドユニットのレンズに接触することにより、レンズに付着している汚れが除去されてレンズがクリーニングされる。
【特許文献１】特開平８−２１２５７６号公報（第２−３頁、第１−３図）
【発明の開示】
【発明が解決しようとする課題】
【０００３】
ところが、上記の清掃部材には、以下の問題点がある。すなわち、この清掃部材では、盤体の表面にブラシ体がまばらにしか配設されていないため、ブラシ体とレンズとの接触量が不足して、レンズに付着している汚れを除去しきれないという問題点が存在する。この場合、上記のクリーニング操作を複数回繰り返すことで、汚れをある程度綺麗に除去することができる。しかしながら、この方法では、操作が煩雑で、しかもクリーニングに長時間を要するという問題点が存在する。
【０００４】
本発明は、かかる問題点に鑑みてなされたものであり、ディスク装置における光ピックアップのレンズを短時間でしかも確実にクリーニングし得るレンズクリーナを提供することを主目的とする。
【課題を解決するための手段】
【０００５】
上記目的を達成すべく本発明に係るレンズクリーナは、一面側の中心部における環状エリアにＴＯＣ情報が記録されたディスク本体と、前記一面側に配設されたクリーニング部とを備えて光ピックアップのレンズをクリーニング可能に構成され、前記クリーニング部は、前記環状エリアにおける前記ＴＯＣ情報の記録エリアを除くエリアのうちの５０％以上に相当する所定エリアを覆うようにして配設されている。
【０００６】
この場合、前記所定エリアを連続した弧状に規定し、前記クリーニング部を単一部材で弧状に構成することができる。
【０００７】
また、前記ディスク本体の回転方向の上流側に位置する端部における前記一面からの高さが先端に向かうに従って徐々に低くなるように前記クリーニング部を構成することができる。
【０００８】
また、前記一面側における前記環状エリアを除くエリアに、文字、図形および記号の１種以上を表記することができる。
【０００９】
また、前記ディスク本体の他面側に、前記記録エリアの位置を特定可能な文字、図形および記号の１種以上を表記することができる。
【発明の効果】
【００１０】
本発明に係るレンズクリーナによれば、環状エリアにおける記録エリアを除くエリアののうちの５０％以上に相当する所定エリアを覆うようにしてクリーニング部を配設したことにより、ディスク装置の光ピックアップがディスク本体に近接している状態においてレンズクリーナが１回転する間に、１回転分の時間の半分以上に亘ってクリーニング部を光ピックアップのレンズに接触させることができる。このため、光ピックアップがディスク本体に近接している時間が僅かであったとしても、その間にクリーニング部をレンズに十分に接触させることができる。したがって、ブラシ体がまばらにしか配設されていない従来の構成とは異なり、レンズに付着した汚れを短時間でしかも確実に除去することができる。
【００１１】
また、本発明に係るレンズクリーナによれば、所定エリアを連続した弧状に規定すると共にクリーニング部を単一部材で弧状に構成したことにより、例えば、別個独立した複数のクリーニング部を所定エリアに沿って配設する構成と比較して、クリーニング部の配設作業を短時間でしかも容易に行うことができる。したがって、レンズクリーナの製造効率を十分に向上させることができる。
【００１２】
また、本発明に係るレンズクリーナによれば、ディスク本体の回転方向の上流側に位置する端部における高さを先端に向かうに従って徐々に小さくなるようにクリーニング部を構成したことにより、その端部におけるクリーニング部の表面をテーパー面とすることができるため、端部における表面とディスク本体の一面との間に大きな段差が生じている構成と比較して、光ピックアップに対してクリーニング部をよりスムーズに接触させることができる。
【００１３】
さらに、本発明に係るレンズクリーナによれば、ディスク本体の一面側における環状エリアを除くエリアに例えば使用上の注意を示す文字、図形および記号の１種以上を表記したことにより、表裏が逆の状態でレンズクリーナがディスク装置にセットされる事態を確実に防止することができる。
【００１４】
さらに、本発明に係るレンズクリーナによれば、記録エリアの位置を特定可能な文字、図形および記号の１種以上をディスク本体の他面側に表記したことにより、その表記された１種以上を目印にしてレンズクリーナをディスク装置にセットすることで、ディスク本体の記録エリアをディスク装置の光ピックアップに確実かつ容易に対向させることができる。したがって、記録エリアに記録されているＴＯＣ情報をディスク装置に確実に読み出させることができる。
【発明を実施するための最良の形態】
【００１５】
以下、本発明に係るレンズクリーナの最良の形態について、添付図面を参照して説明する。
【００１６】
最初に、レンズクリーナ１の構成について、図面を参照して説明する。
【００１７】
図１に示すレンズクリーナ１は、本発明に係るレンズクリーナの一例であって、同図に示すように、ディスク本体２およびクリーニング部３を備えて構成されている。ディスク本体２は、クリーニング対象としての光ピックアップ１００（図３参照）を備えたディスク再生装置やディスク記録再生装置（以下、区別しないときには「ディスク装置」ともいう）に装着されるディスク状の情報記録媒体（一例として、ＣＤやＤＶＤ）とほぼ同じ大きさの円板状に形成されている。また、ディスク本体２の一面（以下、この面を「記録面２１」ともいう）側の中心部における環状エリア３１（図１参照）には、ディスク装置に対してレンズクリーナ１を認識させるためのＴＯＣ（Table Of Contents ）情報が記録されている。この場合、環状エリア３１の位置は、情報記録媒体におけるリードインエリア（インデックスデータ等が記録されているエリア）と同じか若しくはほぼ同じ位置に規定されている。また、ＴＯＣ情報は、同図に示すように、例えば、環状エリア３１のうちの中心角Ａが１０度程度の円弧状のエリア（以下、このエリアを「記録エリア３１ａ」ともいう）に記録されている。
【００１８】
また、ディスク本体２の記録面２１における環状エリア３１を除く部分には、図１に示すように、例えば、レンズクリーナ１の商品名を示すロゴ５１ａ、使用上の注意を示す文字５１ｂ、および問い合わせ先を示す文字５１ｃ（いずれも本発明における文字、図形および記号の一例）が印刷（表記）されている。また、ディスク本体２における記録面２１には、同図に示すように、環状エリア３１の一部を覆うようにして、クリーニング部３が配設（貼付）されている。この場合、図７に示すように、クリーニング部３が配設される円弧状のエリア（以下、このエリアを「配設エリア３２」ともいう）におけるディスク本体２の回転方向Ｉ（レンズクリーナ１がディスク装置によって回転させられる方向）の上流側に位置する端部３２ａには、記録面２１からの深さが先端に向かうに従って徐々に深くなる凹部３２ｂが形成されている。さらに、ディスク本体２には、図３に示すように、クリーニング液２０１（例えば、アルコールや精製水）をワンプッシュ方式でクリーニング部３に供給するための供給部４が形成されている。この場合、供給部４は、図４に示すように、ディスク本体２の他面（以下、この面を「レーベル面２２」ともいう）側におけるクリーニング部３（環状エリア３１）に対向する部位に形成された平面視円形状の凹部４１と、凹部４１の底面から記録面２１に達する貫通孔４２とで構成されている。
【００１９】
また、ディスク本体２のレーベル面２２には、図２に示すように、例えば、レンズクリーナ１の商品名を示すロゴ５１ｄ、使用上の注意を示す文字５１ｅ、ディスク装置にレンズクリーナ１をセットする際に目印として用いられる矢印５１ｆ（本発明における、記録エリアの位置を特定可能な文字、図形および記号の一例）、および矢印５１ｆを用いてレンズクリーナ１をセットすべき向きを示す文字５１ｇが印刷（表記）されている。この場合、矢印５１ｆは、同図に示すように、例えば、ディスク本体２の中心と記録エリア３１ａとを結ぶ線を外周方向に延長した線の上に印刷されて、記録エリア３１ａの位置を特定する（認識させる）ための目印として機能する。
【００２０】
クリーニング部３は、図１に示すように、中心角Ｂが３００度程度で、かつ幅Ｄが３ｍｍ以上４ｍｍ以下程度の１枚（単一）の円弧状部材で構成されている。この場合、この円弧状部材は、一例として、エバール（登録商標）繊維によって編み込まれると共に毛先までの厚みが１ｍｍ程度となるように起毛加工が施された布帛を用いて形成されている。また、クリーニング部３は、同図に示すように、ディスク本体２の環状エリア３１における記録エリア３１ａを避けるようにして、環状エリア３１の円周に沿って配設されている。つまり、クリーニング部３は、環状エリア３１における記録エリア３１ａを除く中心角Ｃが３５０度程度のエリア（以下、このエリアを「未記録エリア」ともいう）のうちの約８６％（本発明における５０％以上の一例）に相当する連続した円弧状の所定エリア（以下、このエリアを「クリーニングエリア３１ｂ」ともいう）を覆うようにして配設されている。この場合、上記したように、ディスク本体２の記録面２１における配設エリア３２の端部３２ａには、凹部３２ｂが形成されている。このため、クリーニング部３は、図８に示すように、ディスク本体２の回転方向Ｉの上流側に位置する端部３ａにおける記録面２１からの高さが先端に向かうに従って徐々に低くなるように、つまりクリーニング部３の表面（起毛加工が施された面）がテーパー面を形成するようにして配設されて構成されている。また、エバール繊維によって編み込まれた布帛が優れた保水性および吸水性を有しているため、クリーニング部３は、供給部４から供給されるクリーニング液２０１を全体に亘って短時間で浸透可能に構成されている。
【００２１】
次に、レンズクリーナ１の使用方法について説明する。
【００２２】
まず、図５に示すように、ディスク本体２の記録面２１を下向きにした状態で、ボトル２００内のクリーニング液２０１を供給部４の凹部４１に滴下する。この際に、滴下されたクリーニング液２０１は、凹部４１から貫通孔４２を通ってディスク本体２の記録面２１に配設されているクリーニング部３に伝わり、クリーニング部３の全体に亘って浸透する。次いで、図３に示すように、ディスク本体２の記録面２１が光ピックアップ１００に対向するようにして（この場合、記録面２１を下向きにして）ディスク本体２をクリーニング対象のディスク装置にセットする。この場合、使用上の注意を示す文字５１ｂが記録面２１およびレーベル面２２の双方に印刷されているため、表裏が逆の状態でレンズクリーナ１がセットされる事態が確実に防止される。ここで、ディスク装置に対してレンズクリーナ１のＴＯＣ情報を確実に読み取らせるためには、ディスク本体２の記録エリア３１ａがディスク装置の光ピックアップ１００に対向するようにしてレンズクリーナ１をディスク装置にセットする必要がある。この場合、記録エリア３１ａの位置を特定するための目印となる矢印５１ｆがディスク本体２のレーベル面２２に印刷されているため、矢印５１ｆの向きと光ピックアップ１００が位置する方向とが一致するようにしてレンズクリーナ１をセットすることで、記録エリア３１ａを光ピックアップ１００に確実かつ容易に対向させることができる。
【００２３】
続いて、このディスク装置に対して再生操作（以下、「クリーニング操作」ともいう））を行う。これに応じて、ディスク装置が、光ピックアップ１００を介してのレンズクリーナ１におけるＴＯＣ情報の読み出しを開始する。この場合、この種のディスク装置では、初期状態において、光ピックアップ１００が、情報記録媒体のリードインエリアに対向する位置、つまりレンズクリーナ１におけるディスク本体２の環状エリア３１に対向する位置（図６に示す位置Ｅ）に位置している。また、上記したように、矢印５１ｆの向きと光ピックアップ１００が位置する方向とが一致するようにしてレンズクリーナ１をセットすることで、記録エリア３１ａが光ピックアップ１００に確実に対向させられている。このため、ＴＯＣ情報の読み出しが確実に行われる。
【００２４】
次いで、ディスク装置は、読み出したＴＯＣ情報に基づき、セットされているレンズクリーナ１が例えばＤＶＤ（またはＤＶＤと同様の構成の円板体）であると判別して、インデックスデータを読み出すべく、駆動モータによるレンズクリーナ１の回転、および光ピックアップ１００によるフォーカシングを開始させる。この際に、光ピックアップ１００は、検出光を射出すると共にその検出光の反射光を受光しつつ、図６に示すように、位置Ｅ，Ｆの間を移動（上下動）することによってフォーカシングを行う。一方、起毛加工を施した布帛でクリーニング部３が構成されているため、光ピックアップ１００から射出された検出光は、クリーニング部３によって散乱（または吸収）される。このため、光ピックアップ１００は、反射光の受光が困難となり、同図に示すように、上下方向への移動を繰り返す。
【００２５】
この際に、例えば、光ピックアップ１００が図６に示す位置Ｆに位置した状態、つまりディスク本体２に近接した状態では、クリーニング部３の毛先が光ピックアップ１００のレンズ１０１に確実に接触する。ここで、クリーニングエリア３１ｂが記録エリア３１ａを除く環状エリア３１（未記録エリア）の５０％以上であれば、光ピックアップ１００がディスク本体２に近接している状態においてレンズクリーナ１が１回転する間に、クリーニングエリア３１ｂを覆うようにして配設されているクリーニング部３がその１回転分の時間の半分以上に亘ってレンズ１０１に接触していることとなる。このため、クリーニングエリア３１ｂが未記録エリアの５０％以上であれば、光ピックアップ１００がディスク本体２に近接している時間が僅かであったとしても、その間にクリーニング部３がレンズ１０１に十分に接触する。したがって、ブラシ体がまばらに配設されている従来の構成とは異なり、レンズ１０１に付着していた汚れが確実に除去される。この場合、このレンズクリーナ１では、上記したように、クリーニングエリア３１ｂが未記録エリアの約８６％に規定されている。したがって、クリーニングエリア３１ｂが未記録エリアの例えば５０％に規定されている構成と比較して、レンズ１０１に対するクリーニング部３の接触量をより多く確保することが可能となっている。また、クリーニング部３は、図８に示すように、ディスク本体２の回転方向Ｉの上流側に位置する端部３ａにおける表面がテーパー面を形成するようにして構成（配設）されている。このため、クリーニング部３の端部３ａにおいて表面とディスク本体２の記録面２１との間に大きな段差が生じている構成と比較して、光ピックアップ１００に対してクリーニング部３がよりスムーズに接触する。
【００２６】
また、クリーニング部３が、クリーニング液２０１を短時間で浸透させるため、クリーニング液２０１を供給部４に滴下した後に、直ちにクリーニング操作を行ったとしても、クリーニング部３の全体に亘ってクリーニング液２０１が浸透する。したがって、レンズ１０１に付着している油等の落ちにくい汚れも確実に除去される。この場合、このレンズクリーナ１では、クリーニング液２０１をレーベル面２２側から供給部４に滴下してクリーニング部３に供給する方式が採用されている。このため、例えば、クリーニング液２０１を記録面２１側からクリーニング部３に直接滴下する方式とは異なり、適量のクリーニング液２０１をクリーニング部３に浸透させることができる。したがって、クリーニング部３への滴下量が多過ぎて、クリーニング液２０１がクリーニング中に飛び散ってレンズ１０１に付着するような事態が確実に防止されている。
【００２７】
一方、上下動を所定時間繰り返してもフォーカシングが終了しないときには、光ピックアップ１００は、フォーカシングを終了して、初期状態の位置（図６に示す位置Ｅ）に移動した後に、移動を停止する。続いて、ディスク装置は、駆動モータを停止させる。これにより、レンズクリーナ１の回転が停止して、レンズ１０１のクリーニングが終了すると共に、レンズクリーナ１がディスク装置から取り出し可能な状態となる。
【００２８】
このように、このレンズクリーナ１によれば、環状エリア３１における記録エリア３１ａを除く未記録エリアの５０％以上に相当するクリーニングエリア３１ｂを覆うようにしてクリーニング部３を配設したことにより、光ピックアップ１００がディスク本体２に近接している状態においてレンズクリーナ１が１回転する間に、１回転分の時間の半分以上に亘ってクリーニング部３をレンズ１０１に接触させることができる。このため、光ピックアップ１００がディスク本体２に近接している時間が僅かであったとしても、その間にクリーニング部３をレンズ１０１に十分に接触させることができる。したがって、ブラシ体がまばらにしか配設されていない従来の構成とは異なり、レンズ１０１に付着した汚れを短時間でしかも確実に除去することができる。
【００２９】
また、このレンズクリーナ１によれば、単一の円弧状部材で構成したクリーニング部３を連続した円弧状のクリーニングエリア３１ｂを覆うようにして配設したことにより、例えば、別個独立した複数のクリーニング部をクリーニングエリア３１ｂに沿って配設する構成と比較して、クリーニング部３の配設（貼付）作業を短時間でしかも容易に行うことができる。したがって、レンズクリーナ１の製造効率を十分に向上させることができる。
【００３０】
さらに、このレンズクリーナ１によれば、ディスク本体２の回転方向Ｉの上流側に位置する端部３ａにおける記録面２１からの高さが先端に向かうに従って徐々に低くなるようにクリーニング部３を構成（配設）したことにより、クリーニング部３の端部３ａにおける表面をテーパー面とすることができるため、端部３ａにおける表面とディスク本体２の記録面２１との間に大きな段差が生じている構成と比較して、光ピックアップ１００に対してクリーニング部３をよりスムーズに接触させることができる。
【００３１】
また、このレンズクリーナ１によれば、ディスク本体２の記録面２１における環状エリア３１を除くエリアに例えば使用上の注意を示す文字５１ｂを表記したことにより、表裏が逆の状態でレンズクリーナ１がセットされる事態を確実に防止することができる。
【００３２】
また、このレンズクリーナ１によれば、記録エリア３１ａの位置を特定可能な矢印５１ｆをディスク本体のレーベル面２２に表記したことにより、矢印５１ｆの向きと光ピックアップ１００が位置する方向とが一致するようにしてレンズクリーナ１をディスク装置にセットすることで、ディスク本体２の記録エリア３１ａを光ピックアップ１００に確実かつ容易に対向させることができる。したがって、記録エリア３１ａに記録されているＴＯＣ情報をディスク装置に確実に読み出させることができる。
【００３３】
なお、本発明は上記の構成に限定されない。例えば、１枚の円弧状部材で構成したクリーニング部３をクリーニングエリア３１ｂに配設した構成例について上記したが、複数のクリーニング部を間隔を空けずに並設する構成を採用することもできる。また、複数のクリーニング部を所定の間隔を空けて並設する構成を採用することもできる。また、エバール繊維によって形成された布帛を用いてクリーニング部３を構成した例について上記したが、クリーニング部３の材質はこれに限定されず、他の繊維によって形成された布帛や不織布を用いることもできる。また、樹脂等の板材に各種の毛状体を植毛することによってクリーニング部を構成することもできる。
【００３４】
また、未記録エリアのうちの約８６％に相当するクリーニングエリア３１ｂにクリーニング部３を配設した例について上記したが、未記録エリアのうちの５０％以上の任意のエリアにクリーニング部を配設することができる。また、供給部４を備えずに、クリーニング液２０１をクリーニング部３に直接滴下する構成を採用することもできる。
【００３５】
さらに、ディスク本体２の配設エリア３２におけるディスク本体２の回転方向Ｉの上流側に位置する端部３２ａのみに凹部３２ｂを形成した例について上記したが、図９に示すディスク本体２Ａのように、回転方向Ｉの下流側に位置する端部３２ｃに凹部３２ｂと同様の凹部３２ｄを形成することもできる。このディスク本体２Ａを備えたレンズクリーナ１Ａによれば、図１０に示すように、回転方向Ｉの下流側に位置する端部３ｂにおいてもクリーニング部３の表面をテーパー面とすることができるため、光ピックアップ１００からクリーニング部３をスムーズに離間させることができる。この場合、凹部３２ｂや凹部３２ｄを形成するのに代えて、端部３ａや端部３ｂの厚みが先端に向かうに従って徐々に薄くなるようにクリーニング部３を形成してもよく、このように形成することで、記録面２１からクリーニング部３の表面までの高さを先端に向かうに従って徐々に低くなるように構成することができる。
【図面の簡単な説明】
【００３６】
【図１】記録面２１側から見たレンズクリーナ１の平面図である。
【図２】レーベル面２２側から見たレンズクリーナ１の平面図である。
【図３】レンズクリーナ１および光ピックアップ１００の側面図である。
【図４】図２におけるＧ−Ｇ線断面図である。
【図５】供給部４にクリーニング液２０１を供給している状態のレンズクリーナ１の断面図である。
【図６】クリーニングを実行している状態のレンズクリーナ１の断面図である。
【図７】ディスク本体２を図１におけるＨ−Ｈ線で切断した状態の断面図である。
【図８】クリーニングを実行している状態のクリーニング部３の端部３ａ近傍におけるレンズクリーナ１の断面図である。
【図９】ディスク本体２Ａの断面図である。
【図１０】クリーニングを実行している状態のクリーニング部３の端部３ｂ近傍におけるレンズクリーナ１Ａの断面図である。
【符号の説明】
【００３７】
１，１Ａ  レンズクリーナ
２，２Ａ  ディスク本体
３  クリーニング部
３ａ，３ｂ  端部
２１  記録面
２２  レーベル面
３１  環状エリア
３１ａ  記録エリア
３１ｂ  クリーニングエリア
５１ａ  ロゴ
５１ｂ，５１ｃ  文字
５１ｆ  矢印
１００  光ピックアップ
１０１  レンズ
Ｉ  回転方向
【図１】
2006338803.tif 000003
【図２】
2006338803.tif 000004
【図３】
2006338803.tif 000005
【図４】
2006338803.tif 000006
【図５】
2006338803.tif 000007
【図６】
2006338803.tif 000008
【図７】
2006338803.tif 000009
【図８】
2006338803.tif 000010
【図９】
2006338803.tif 000011
【図１０】
2006338803.tif 000012